(57)【要約】【解決手段】本発明は、冷蔵庫に関し、具体的には、冷蔵庫の解凍装置に関する。解凍室ハウジングと、解凍室ライナーと、解凍室扉体とからなる解凍室を備える冷蔵庫の解凍装置であって、解凍室には、電磁波励起モジュールと、電磁波高圧発振モジュールと、監視制御モジュールとが設けられており、監視制御モジュールは食品温度を監視するためのものであり、電磁波励起モジュールは、電磁波高圧発振モジュールと、監視制御モジュールとにいずれも電気的に接続され、解凍室には食品に接触するための第１の電極および第２の電極が設けられており、第１の電極および第２の電極は電磁波高圧発振モジュールに電気的に接続され、解凍室には監視制御モジュールに電気的に接続される温度センサがさらに設けられている。解凍室における第１の電極および第２の電極が、それに接触する食品へ高周波電磁波を放出することによって、冷凍食品を急速かつ均一に解凍する。【選択図】２
2016536560.tif 000002
【特許請求の範囲】
【請求項１】
解凍室ハウジング（１１）と、解凍室ライナー（１２）と、解凍室扉体（１３）とからなる解凍室（１）を備える冷蔵庫の解凍装置であって、
前記解凍室（１）には、電磁波励起モジュール（１４１）と、電磁波高圧発振モジュール（１４２）と、監視制御モジュール（１４３）とが設けられており、前記監視制御モジュール（１４３）は食品温度を監視するためのものであり、前記電磁波励起モジュール（１４１）は、電磁波高圧発振モジュール（１４２）と、監視制御モジュール（１４３）とにいずれも電気的に接続され、前記解凍室（１）には食品に接触するための第１の電極（２１）および第２の電極（２２）が設けられており、前記第１の電極（２１）および第２の電極（２２）は電磁波高圧発振モジュール（１４２）に電気的に接続され、前記解凍室（１）には監視制御モジュール（１４３）に電気的に接続される温度センサ（２３）がさらに設けられており、
温度センサ（２３）によって解凍室（１）における食品の温度信号が検出された後、温度信号を監視制御モジュール（１４３）に伝送し、監視制御モジュール（１４３）が、それに電気的に接続される電磁波励起モジュール（１４１）を動作させるように制御し、電磁波励起モジュール（１４１）が、それに電気的に接続される電磁波高圧発振モジュール（１４２）に高周波電磁波を発生させるように励起し、電磁波高圧発振モジュール（１４２）に電気的に接続される第１の電極（２１）および第２の電極（２２）が、解凍室（１）へ高周波電磁波を放出して食品を解凍する
ことを特徴とする冷蔵庫の解凍装置。
【請求項２】
前記監視制御モジュール（１４３）は、解凍室（１）における食品の解凍後の温度範囲が−５℃〜０℃となるように制御する
ことを特徴とする請求項１に記載の冷蔵庫の解凍装置。
【請求項３】
前記監視制御モジュール（１４３）は電磁波励起モジュール（１４１）の動作のオン/オフを制御するための温度コントローラ（１４４）を有し、前記温度コントローラ（１４４）は、温度センサ（２３）と、電磁波励起モジュール（１４１）とにいずれも電気的に接続される
ことを特徴とする請求項１に記載の冷蔵庫の解凍装置。
【請求項４】
前記解凍装置は、食品を置くための解凍ボックス（２）をさらに備え、前記解凍ボックス（２）は、前記解凍室（１）に置かれ、前記解凍室（１）に着脱可能に接続される
ことを特徴とする請求項１〜３のいずれか１項に記載の冷蔵庫の解凍装置。
【請求項５】
前記第１の電極（２１）および第２の電極（２２）は、解凍ボックス（２）に設けられ、かつ、位置が調整可能である
ことを特徴とする請求項４に記載の冷蔵庫の解凍装置。
【請求項６】
前記解凍ボックス（２）は、ボックス本体（２４）とボックス蓋体（２５）とからなり、前記ボックス本体（２４）は、一端が前記ボックス蓋体（２５）とヒンジにより接続され、他端が前記ボックス蓋体（２５）とバックルによりロッキングされる
ことを特徴とする請求項５に記載の冷蔵庫の解凍装置。
【請求項７】
前記解凍ボックス（２）のボックス本体（２４）の外側には電磁シールド層および保温層が設けられている
ことを特徴とする請求項６に記載の冷蔵庫の解凍装置。
【請求項８】
前記第１の電極（２１）および第２の電極（２２）は、シート構造または針状構造であり、ボックス本体（２４）内の左右両側に可動的に設置される
ことを特徴とする請求項７に記載の冷蔵庫の解凍装置。
【発明の詳細な説明】
【技術分野】
【０００１】
本発明は、冷蔵庫に関し、具体的には、冷蔵庫の解凍装置に関する。
【背景技術】
【０００２】
一般には、冷蔵庫は、ゼロ度以上の低温で食品を貯蔵する冷蔵室およびゼロ度以下の低温で食品を貯蔵する冷凍室を有する。冷凍室は、通常、食品の長期貯蔵のために食品を冷凍する。しかし、利用者は食品を冷凍室から取り出してから、調理して食する前に解凍させる必要がある。冷凍食品をどのように解凍するか、どのように凍結前のフレッシュ状態に戻すかは、多くの家庭で日常の問題になる。
【発明の概要】
【発明が解決しようとする課題】
【０００３】
従来の解凍方法は、冷蔵庫において適当な温度および電界を作ることであり、冷凍食品を急速に解凍できるが、解凍温度は制御できない。例えば、冷蔵庫にマイクロ波加熱技術を採用し、冷凍室の壁に配置されるマイクロ波放射ヘッドにより解凍空間へ高周波電磁波を放射して冷凍食品を解凍することが考えられているが、非接触式による高周波電磁波放射では、食品解凍中に内外温度が不均一になってしまい、且つ解凍後の温度が制御できなく、食品の解凍後の品質に影響を及ぼす。
【課題を解決するための手段】
【０００４】
本発明は、前述の従来技術にかかる少なくとも一つの問題点を克服するために、解凍室内部には食品に接触するための第１の電極および第２の電極が設置されており、第１の電極および第２の電極は電磁波高圧発振モジュールに電気的に接続されることで、電磁波励起モジュールが、電磁波高圧発振モジュールに電気的に接続して高周波電磁波を発生させ、電磁波高圧発振モジュールに電気的に接続される第１の電極および第２の電極がボックス本体内へ高周波電磁波を放出することで、食品に対して接触式による加熱を行って、食品が急速かつ均一に解凍できるようにする冷蔵庫の解凍装置を提供する。温度センサが解凍ボックスにおける食品の温度信号を監視制御モジュールに伝送し、監視制御モジュールが、それに電気的に接続される電磁波励起モジュールを動作ように制御し、電磁波励起モジュールが、それに電気的に接続される電磁波高圧発振モジュールに高周波電磁波を発生させるように励起し、電磁波高圧発振モジュールに電気的に接続される第１の電極および第２の電極が、解凍室へ高周波電磁波を放出して食品を解凍するように設置することによって、食品が急速かつ均一に解凍しつつ、食品温度を制御でき、温度が高すぎて食品の栄養および鮮度を損なったり、温度が低すぎて食品の解凍を図らなったりすることを回避している。
【０００５】
前述の技術問題を解決するために、本発明は以下の技術方案を採用する。
解凍室ハウジングと、解凍室ライナーと、解凍室扉体とからなる解凍室を備える冷蔵庫の解凍装置であって、前記解凍室には、電磁波励起モジュールと、電磁波高圧発振モジュールと、監視制御モジュールとが設けられており、前記監視制御モジュールは食品温度を監視するためのものであり、前記電磁波励起モジュールは、電磁波高圧発振モジュールと、監視制御モジュールとにいずれも電気的に接続され、前記解凍室には食品に接触するための第１の電極および第２の電極が設けられており、前記第１の電極および第２の電極は電磁波高圧発振モジュールに電気的に接続され、前記解凍室には監視制御モジュールに電気的に接続される温度センサがさらに設けられており、
温度センサによって解凍室における食品の温度信号が検出された後、温度信号を監視制御モジュールに伝送し、監視制御モジュールが、それに電気的に接続される電磁波励起モジュールを動作させるように制御し、電磁波励起モジュールが、それに電気的に接続される電磁波高圧発振モジュールに高周波電磁波を発生させるように励起し、電磁波高圧発振モジュールに電気的に接続される第１の電極および第２の電極が、解凍室へ高周波電磁波を放出して食品を解凍する冷蔵庫の解凍装置を提供する。
【０００６】
本発明の冷蔵庫の解凍装置は、解凍室内部には食品に接触するための第１の電極および第２の電極が設置されており、第１の電極および第２の電極は電磁波高圧発振モジュールに電気的に接続されることで、電磁波励起モジュールは、電磁波高圧発振モジュールに電気的に接続して高周波電磁波を発生させ、電磁波高圧発振モジュールに電気的に接続される第１の電極および第２の電極がボックス本体内へ高周波電磁波を放出することで、食品に対して接触式による加熱を行って、食品を急速かつ均一に解凍できるようにする。温度センサが解凍ボックスにおける食品の温度信号を監視制御モジュールに伝送し、監視制御モジュールが、それに電気的に接続される電磁波励起モジュールを動作ように制御し、電磁波励起モジュールが、それに電気的に接続される電磁波高圧発振モジュールに高周波電磁波を発生させるように励起し、電磁波高圧発振モジュールに電気的に接続される第１の電極および第２の電極が、解凍室へ高周波電磁波を放出して食品を解凍することで、食品を急速かつ均一に解凍しつつ、食品温度を制御でき、温度が高すぎて食品の栄養および鮮度を損なったり、温度が低すぎて食品の解凍を図らなったりすることを回避している。
【０００７】
食品を冷凍前の味のまま維持するように、食品に対してソフト解凍(soft thaw)を行うために、前記監視制御モジュールは、解凍室における食品の解凍後の温度範囲が−５℃〜０℃となるように制御する。監視制御モジュールが解凍室における食品の温度範囲が−５℃〜０℃となるように制御することは、食品が解凍中に冷凍前の味を維持できるようになるためであり、ソフト解凍の方式を採用することで、温度が高すぎて食品の新鮮さを損なって前の味を失ったり、温度が低すぎて食品が完全に解凍しなったりすることを回避している。
【０００８】
温度センサによって取得される温度信号を受信して、受信された温度信号と設定温度信号とを比較し、電磁波励起モジュールの動作のオン/オフを制御するために、前記監視制御モジュールは電磁波励起モジュールの動作のオン/オフを制御するための温度コントローラを有し、前記温度コントローラは、温度センサと、電磁波励起モジュールとにいずれも電気的に接続される。温度コントローラは、温度センサの温度信号を受信して設定温度信号と比較し、電磁波励起モジュールの動作状態を決定するために設置されたものである。温度コントローラによる電磁波励起モジュールの制御は通常の形態、例えば半導体リレーでなされた。
【０００９】
前記解凍装置は、食品を置くための解凍ボックスをさらに備え、前記解凍ボックスは、前記解凍室に置かれ、前記解凍室に着脱可能に接続されることが好ましい。
【００１０】
前記第１の電極および第２の電極は、解凍ボックスに設けられ、かつ、位置が調整可能であることが好ましい。解凍ボックスの開閉を容易にするために、前記解凍ボックスは、ボックス本体とボックス蓋体とからなり、前記ボックス本体は、一端が前記ボックス蓋体とヒンジにより接続され、他端が前記ボックス蓋体とバックルによりロッキングされる。バックル構造は、螺合などの構造による開閉が容易でないことを回避し、解凍ボックスの開閉便利性を向上させるために設置されたものである。
【００１１】
解凍ボックス内の温度を保持して、高周波電磁波のリークによる解凍効果の低下を回避するために、前記解凍ボックスのボックス本体の外側には電磁シールド層および保温層が設けられている。保温層は、解凍ボックスからエネルギーのリークを回避して、解凍効果および効率を向上したり、解凍の時間を短縮したりするために設置されたものである。
【００１２】
食品を第１の電極と第２の電極との間に置いて直接接触して解凍させ、かつ、第１の電極および第２の電極の位置を食品の形状および解凍の状況に応じていつでも調整しやすくするために、前記第１の電極および第２の電極は、シート構造または針状構造であり、ボックス本体内の左右両側に可動的に設置される。第１の電極および第２の電極がボックス本体内の左右両側に可動的に設置されることは、解凍ボックスに置かれた解凍しようとする食品が第１の電極および第２の電極によって間に挟まれ、放出される高周波電磁波による食品の急速な解凍を容易にするためである。さらに、第１の電極および第２の電極は、構造が多様性を有し、シート構造も針状構造もよい。
【００１３】
従来技術と比べると、本発明の有利な効果は以下の通りである。
本発明の冷蔵庫の解凍装置は、解凍室内部に食品に接触するための第１の電極および第２の電極が設置されており、第１の電極および第２の電極は電磁波高圧発振モジュールに電気的に接続されることで、電磁波励起モジュールは、電磁波高圧発振モジュールに電気的に接続して高周波電磁波を発生させ、電磁波高圧発振モジュールに電気的に接続される第１の電極および第２の電極がボックス本体内へ高周波電磁波を放出することで、食品に対して接触式による加熱を行って、食品を急速かつ均一に解凍できる。温度センサが解凍ボックスにおける食品の温度信号を監視制御モジュールに伝送し、監視制御モジュールが、それに電気的に接続される電磁波励起モジュールを動作させるように制御し、電磁波励起モジュールが、それに電気的に接続される電磁波高圧発振モジュールに高周波電磁波を発生させるように励起し、電磁波高圧発振モジュールに電気的に接続される第１の電極および第２の電極が、解凍室へ高周波電磁波を放出して食品を解凍することで、食品を急速かつ均一に解凍しつつ、食品温度を制御可能であり、温度が高すぎて食品の栄養および鮮度を損なったり、温度が低すぎて食品の解凍を図らなったりすることを回避している。
【図面の簡単な説明】
【００１４】
【図１】図１は、本発明の冷蔵庫の解凍装置の構成模式図である。
【図２】図２は、本発明の冷蔵庫の解凍装置の動作原理模式図である。
【発明を実施するための形態】
【００１５】
以下、具体的な実施形態に合わせて本発明をさらに説明する。ただし、添付図面は、例示的な説明のためにのみ用いられ、示されたのは実物図ではなく模式図だけであり、本特許を限定すると理解するべきではない。本発明の実施例をよりよく説明するために、添付図面においていくつかの部分が省略、拡大または縮小され、実際の製品のサイズを表すものではない。当業者にとっては、添付図面において一部の公知構成およびその説明が省略され得ることが理解できる。
【００１６】
本発明の実施例に係る添付図面における同一または類似な符号は同一または類似な要素に対応する。本発明の記述においては、「上」「下」「左」「右」などの用語によって指示される方位や位置関係があれば、それは添付図面に示される方位や位置関係に基づくものであり、かかる装置や素子が特定の方位を有しまた特定の方位で構成や動作しなければならないと明示または示唆するものではなく、ただ、本発明を記述しやすくしたり記述を簡略化したりするためであるので、添付図面における位置関係を記述する用語は、例示的な説明のためにのみ用いられ、本特許を限定すると理解するべきでなく、当業者にとって、前述の用語の具体意味を具体状況によって理解できる、ことに留意されたい。
【００１７】
（実施例）
図１〜図２が本発明の冷蔵庫の解凍装置の一実施例を示すように、解凍室ハウジング１１と、解凍室ライナー１２と、解凍室扉体１３とからなる解凍室１を備え、解凍室１には、電磁波励起モジュール１４１と、電磁波高圧発振モジュール１４２と、監視制御モジュール１４３とが設けられており、監視制御モジュール１４３は食品温度を監視するためのものであり、電磁波励起モジュール１４１は、電磁波高圧発振モジュール１４２と、監視制御モジュール１４３とにいずれも電気的に接続され、前記解凍室１には食品に接触するための第１の電極２１および第２の電極２２が設けられており、第１の電極２１および第２の電極２２は電磁波高圧発振モジュール１４２に電気的に接続され、解凍室１には監視制御モジュール１４３に電気的に接続される温度センサ２３がさらに設けられており、
温度センサ２３によって解凍室１における食品の温度信号が検出された後、温度信号を監視制御モジュール１４３に伝送し、監視制御モジュール１４３が、それに電気的に接続される電磁波励起モジュール１４１を動作させるように制御し、電磁波励起モジュール１４１が、それに電気的に接続される電磁波高圧発振モジュール１４２を高周波電磁波を発生させるように励起し、電磁波高圧発振モジュール１４２に電気的に接続される第１の電極２１および第２の電極２２が、解凍室１へ高周波電磁波を放出して食品を解凍する冷蔵庫の解凍装置である。
【００１８】
その中、監視制御モジュール１４３は、解凍室１における食品の解凍後の温度範囲が−５℃〜０℃となるように制御する。本実施例において、そのように設定するのは、食品が解凍中に冷凍前の味を維持できるようになるためであり、ソフト解凍の方式を採用することで、温度が高すぎて食品の新鮮さを損なって前の味を失ったり、温度が低すぎて食品を完全に解凍しなかったりすることを回避している。
【００１９】
具体的には、監視制御モジュール１４３は電磁波励起モジュール１４１の動作のオン/オフを制御するための温度コントローラ１４４を有し、温度コントローラ１４４は、温度センサ２３と、電磁波励起モジュール１４１とにいずれも電気的に接続される。温度コントローラ１４４は、温度センサ２３の温度信号を受信して設定温度信号と比較し、電磁波励起モジュール１４１の動作状態を決定してその動作のオン/オフを決めて、より良く効果的に食品を解凍するために設置されたものである。温度コントローラ１４４による電磁波励起モジュール１４１の制御は通常の形態、例えば半導体リレーまたはオンオフスイッチでなされている。具体的な作用として、温度コントローラ１４４は、温度センサ２３によって検出された温度信号を受信して、温度コントローラ１４４によって予め設定された温度信号と比較し、電磁波励起モジュールのオン/オフを制御するために設置されたものである。食品の温度が温度コントローラ１４４によって予め設定された温度よりも低いことを温度センサ２３が検出すると、電磁波励起モジュール１４１は動作状態になり、食品の温度を上昇させる一方、食品の温度が温度コントローラ１４４によって予め設定された温度よりも高いことを温度センサ２３が検出すると、電磁波励起モジュール１４１が停止状態になる。
【００２０】
その中、本実施例における解凍装置は、食品を置くための解凍ボックス２をさらに備え、解凍ボックス２は、解凍室１内に置かれ、前記解凍室１に着脱可能に接続されている。なお、解凍ボックス２は、食品を置くために設置されたものであり、解凍装置の多様性を提供するようになり、利用者は、必要に応じて、解凍ボックス２を装着して解凍ボックス２で解凍させること、または、解凍ボックス２を取り外して直接に解凍室１で解凍させることができ、解凍装置のユーザビリティを高める。すなわち、必要なときには、解凍ボックス２を解凍室１から取り出してもよい。
【００２１】
また、第１の電極２１および第２の電極２２は、解凍ボックス２に設けられ、かつ、位置が調整可能である。これは、第１の電極および第２の電極の位置を食品の形状および解凍の状況に応じていつでも調整しやすくするためであり、第１の電極２１および第２の電極２２を、解凍すると食品に密着して接触させ、解凍完了すると食品を取り出しやすいように食品から離れる。そのように設置することで、第１の電極２１および第２の電極２２は食品に容易に接触でき、解凍効率を向上させる。
【００２２】
そして、解凍ボックス２は、ボックス本体２４とボックス蓋体２５とからなり、ボックス本体２４は、一端が前記ボックス蓋体２５とヒンジにより接続され、他端が前記ボックス蓋体２５とバックルによりロッキングされる。本実施例においてそのように設置するのは、解凍ボックスのボックス蓋体２５の正常開閉のためである。ただし、解凍ボックス２のボックス本体２４の外側には電磁シールド層および保温層が設けられている。通常の場合、電磁シールド層は金属層であり、電磁シールド層は、解凍ボックス２から電磁波のリークを防止するために設置されたものである。保温層は、解凍ボックス２から熱のリークによる解凍室１内の温度上昇に起因する冷蔵庫用圧縮機の長期間運転によりエネルギー消費量が増加してしまうことを防止するために設置されたものである。
【００２３】
その中、通常の場合、電磁波励起モジュール１４１、電磁波高圧発振モジュール１４２、および、監視制御モジュール１４３は解凍室１の解凍本体１４に設置され、解凍本体１４の外側にスイッチボタン１５が設けられている。スイッチボタン１５は、冷蔵庫の解凍装置のオン/オフを手動で制御するために設置されたものである。
【００２４】
また、第１の電極２１および第２の電極２２は、シート構造または針状構造であり、ボックス本体２４内の左右両側に可動的に設置される。これは、解凍ボックス２に置かれた解凍しようとする食品が間に挟まれ、放出される高周波電磁波による食品の急速な解凍を容易にするためである。ボックス本体２４の底部には、お互いに平行する２本のブラケットである第１のブラケット２６および第２のブラケット２７が設けられ、第１のブラケット２６および第２のブラケット２７は、それぞれボックス本体２４の底部に固定接続される。第１のブラケット２６および第２のブラケット２７にはそれぞれスロットが設けられ、隣接する両スロットのピッチが５mm〜１０mmである。第１の電極２１および第２の電極２２を両ブラケットの異なるスロットに位置させることにより第１の電極２１と第２の電極２２との距離を調整する。第１の電極２１と第２の電極２２との距離を調整することで、第１の電極３１および第２の電極３２を、間に置かれた食品の両端にそれぞれ接触させる。
【００２５】
本発明の前述の実施例は、本発明の実施形態を限定するものではなく、本発明を明確に説明するために挙げられる例だけであることは明らかである。当業者にとっては、前述の説明に基づいて異なる形式の変化または変動を加えることが可能である。ここですべての実施形態を挙げることは必要でも可能でもない。本発明の思想の範囲内に作られた修正、均等物、および改良などがすべて本発明の技術的範囲に含まれるべきである。
【図１】
2016536560.tif 000003
【図２】
2016536560.tif 000004
【国際調査報告】
2016536560.tif 000005
2016536560.tif 000006
2016536560.tif 000007
2016536560.tif 000008